(57)【特許請求の範囲】
【請求項１】
少なくとも内線端末を有し、複数の網の各回線に接続できる交換システムにおいて、
前記内線端末から網への発信が生じた場合、前記内線端末にダイレクトダイヤルイン番号が設定されているか判断する手段と、
前記内線端末にダイレクトダイヤルイン番号が設定されている場合、該内線端末の内線番号から発信者番号を作成する作成手段と、
前記内線端末から前記網への発信に応答して捕捉された局線番号を検索する第１の検索手段と、
各局線番号に対応して加入者番号が各々記述された加入者番号テーブルと、
前記加入者番号テーブルを参照して、前記捕捉された局線番号に対応する加入者番号を検索する第２の検索手段と、
前記作成手段により作成された前記発信者番号と前記第２の検索手段により検索された加入者番号とを比較する比較手段と、
前記比較手段の比較の結果、前記発信者番号と加入者番号が一致した場合、該発信者番号を前記網に送出し、一致しなければ予め該回線に設定した代表番号を該発信者番号として送出する手段と、
を具備することを特徴とする交換システム。
【請求項２】
前記作成手段は、各内線端末のポート番号に対応して種別及びプレヒックスが記述されたプレヒックステーブルと、
前記内線端末にダイレクトダイヤルイン番号が設定されている場合、前記プレヒックステーブルに記述された該内線端末の前記種別及びプレヒックスを用いて発信者番号を作成する手段とを具備することを特徴とする請求項１記載の交換システム。
【発明の詳細な説明】
【０００１】
【発明の属する技術分野】
本発明は網の回線を収容する交換システムに関する。
【０００２】
【従来の技術】
従来、発信者番号情報通知の目的は、着信先に発信者の電話番号の情報を通知することで発信者の情報を得ることや、得た情報を基に着信先から発信者へ電話をかける場合(call back)に利用される。
【０００３】
このときの発信者番号情報は、図８のようなフローで収容する内線端末のダイヤルイン番号から発信者番号情報を作成する。即ち、端末がＩＳＤＮ回線に対して接続要求を出した場合、ステップＳ１０のように交換システムの主制御部は該端末にダイレクトダイヤルインの内線番号が設定されているか確認する。設定されている場合、ステップＳ１１のように該内線番号を基に発信者番号情報が作成される。
【０００４】
【発明が解決しようとする課題】
図９は複数のＩＳＤＮ網に接続された交換システムの接続構成例を示す。従来の技術では、このように異なる複数のＩＳＤＮ網と接続されていた場合、交換システムは各網に接続されたＩＳＤＮ回線毎に割り振られた加入者番号（以降、ＬＤＮ(Local Directry Number)と記述する）を発信者番号情報として送出する。この発信者番号情報はダイレクトダイヤルインの内線番号を基にして作成される。
【０００５】
図９の例では、ＩＳＤＮ網ＡのＬＤＮとして７１４−１２３４、７１４−１２３５、７１４−１２３６が登録され、ＩＳＤＮ網ＢのＬＤＮとして７１４−５６７８が登録されている。更に、内線端末４ａ〜４ｃには各々内線番号として、１２３４、１２３５、１２３６が設定されている。つまり、端末４ａ〜４ｃにはＩＳＤＮ網Ａのダイレクトダイヤルイン番号が設定されている。
【０００６】
端末からＩＳＤＮ網に対して接続要求が送出されると、スクリーニング(screening)を含む所定のプロトコルに従って回線を接続する。図１０はＩＳＤＮ網への接続プロトコルを示す図である。先ず図１０（ａ）のように、交換システムからＩＳＤＮ網Ａへ呼設定メッセージ（ＳＥＴＵＰ）が送信される。ＩＳＤＮ網Ａは発信者番号情報（図では７１４１２３４）等をもとにスクリーニングを行う。つまり、呼設定メッセージを送出した発信者がＩＳＤＮ網Ａに加入しているか否か確認する。発信者がＩＳＤＮ網Ａに加入していることを確認すると、ＩＳＤＮ網Ａは着信端末に対して、受信した発信者番号情報と共に呼設定メッセージを送信する。次にＩＳＤＮ網Ａは交換システムに対して呼設定受け付けメッセージ（ＣＡＬＬＰＲＯＣ）を送信する。そしてＩＳＤＮ網Ａは呼出しメッセージ（ＡＬＥＲＴ）を交換システムに対して送信し、着信端末が呼出されていることを交換システムに知らせる。
【０００７】
呼出しに対して応答した着信端末が応答メッセージ（ＣＯＮＮＴ）を送信すると、ＩＳＤＮ網Ａは該応答メッセージを交換システムに送信する。交換システムがこの応答メッセージ（ＣＯＮＮＴ）に対して応答確認メッセージ（ＣＯＮＮＡＣＫ）を送信すると、このメッセージはＩＳＤＮ網Ａを介して着信端末に送信される。この結果、回線が接続され通話中となる。
【０００８】
しかし、予め内線端末に設定されているダイレクトダイヤルイン番号による発信者番号情報は、発信者番号情報をスクリーニングする場合に、他の異なる網の設定によっては、ＬＤＮと発信者番号情報が異なるために切断される場合がある。
【０００９】
図１０（ｂ）は交換システムから発信時の網のスクリーニングによる呼の切断を示す図である。例えば図９のようにＩＳＤＮ網Ａのダイレクトダイヤルイン番号が設定された端末４ａがＩＳＤＮ網Ｂに対して発呼すると、発信者番号情報として「７１４１２３４」がＩＳＤＮ網Ｂに対して送出される。この発信者番号情報「７１４１２３４」はＩＳＤＮ網Ｂの加入者番号「７１４５６７８」と一致しないので、スクリーニング時にＩＳＤＮ網Ｂは、開放完了メッセージ（ＲＥＬＣＯＭＰ）を交換システムに送信し回線を切断する。
【００１０】
そこで本発明は、発信先の網にて加入者番号をダイレクトダイヤルイン番号として設定されていない端末が該網へ発信する場合でも、回線が正常に接続される交換システムを提供することを目的とする。
【００１１】
【課題を解決するための手段】
上記課題を解決する為に本発明の交換システムは、少なくとも内線端末を有し、複数の網の各回線に接続できる交換システムにおいて、前記内線端末から網への発信が生じた場合、前記内線端末にダイレクトダイヤルイン番号が設定されているか判断する手段と、前記内線端末にダイレクトダイヤルイン番号が設定されている場合、該内線端末の内線番号から発信者番号を作成する作成手段と、前記内線端末から前記網への発信に応答して捕捉された局線番号を検索する第１の検索手段と、各局線番号に対応して加入者番号が各々記述された加入者番号テーブルと、前記加入者番号テーブルを参照して、前記捕捉された局線番号に対応する加入者番号を検索する第２の検索手段と、前記作成手段により作成された前記発信者番号と前記第２の検索手段により検索された加入者番号とを比較する比較手段と、前記比較手段の比較の結果、前記発信者番号と加入者番号が一致した場合、該発信者番号を前記網に送出し、一致しなければ予め該回線に設定した代表番号を該発信者番号として送出する手段とを具備する。
【００１２】
交換システムが収容する複数の例えばＩＳＤＮ網の中の１つのＩＳＤＮ網に対して端末が発呼すると、該ＩＳＤＮ網に設定されているＩＳＤＮ回線に割り振られた加入者番号と発信端末のダイヤルイン番号とが比較される。加入者番号と発信端末のダイヤルイン番号が一致すれば該ダイヤルイン番号を、一致しなければ予め設定した該ＩＳＤＮの代表番号つまり代表加入者番号を発信者番号情報として該ＩＳＤＮ網に送出する。加入者番号と発信端末のダイヤルイン番号が一致しなかった場合に送出される加入者番号は、この交換システムに接続された各局線、つまり各ＩＳＤＮ回線の局線番号に対応して加入者番号が記述されたテーブルを参照することにより求められる。
【００１３】
本発明では、複数のＩＳＤＮ網と契約している場合でも、局線毎に契約された加入者番号が発信者番号として網へ通知されるため、スクリーニングによる呼の切断を防ぐことができる。
【００１４】
【発明の実施の形態】
以下、図面を参照しながら、本発明の実施形態について詳細に説明する。以下に示す実施形態ではＩＳＤＮ網に接続されたシステムを例にとり本発明を説明するが、発信者番号情報を送ることができる網であればＩＳＤＮ以外の網であっても本発明を適用することが可能である。
【００１５】
図１はＩＳＤＮ回線インタフェースを収容する交換システムの構成例である。
【００１６】
図１の交換システム１は内線のインターフェースとして、アナログ電話機インタフェース回路５、デジタル電話機インタフェース回路６、ＩＳＤＮ電話機インタフェース回路７を備えている。アナログ電話機インタフェース回路５には内線端末である複数のアナログ電話機２が接続され、デジタル電話機インタフェース回路６には複数のデジタル電話機３が接続され、ＩＳＤＮ電話機インタフェース回路７には複数のＩＳＤＮ端末４が接続されている。
【００１７】
また交換システム１は外線のインタフェース回路としてアナログ回線インタフェース回路８、ＩＳＤＮ回線インタフェース回路９、専用線インタフェース回路１０を備えている。アナログ回線インタフェース回路８には複数のアナログ網が接続され、ＩＳＤＮ回線インタフェース回路９には複数のＩＳＤＮ網が接続され、専用線インタフェース回路１０には専用線網が接続されている。この専用線網は例えば一企業内で専用に使用される回線網である。
【００１８】
更に交換システム１は内線のインターフェース５〜７と外線のインターフェース８〜１０の通話路を接続する為の通話路スイッチ１１及びその制御を司る制御回路１２、各インタフェース回路からの各種信号を処理する信号処理回路１３、記憶装置１４、各回路を結ぶ制御信号バス１５、保守運用装置１７を備えている。
【００１９】
図２は交換システム１内で発信者番号情報を作成する本発明の動作を示すフローチャートである。これにより発信者番号情報を網へ送出する。なお、内線端末や回線ポートで同じ番号を使用できるように各テーブルの代表番号やダイヤルイン番号には、インデックスが利用される。
【００２０】
以下、この動作を詳細に説明する。内線端末がアナログ網又はＩＳＤＮ網又は専用線網に対して発呼すると、制御回路１２はステップＳ１にて、内線端末ポート単位に設定されるダイレクトダイヤルインの内線番号有無を確認する。図３はアナログ電話機２、デジタル電話機３、ＩＳＤＮ端末４等の内線端末の端末ポート番号に対応する内線番号を示すテーブルである。この内線番号はダイヤルイン番号及びダイレクトダイヤルイン番号を含む。
【００２１】
ダイレクトダイヤルインとは図８を用いて説明したように、ＩＳＤＮの加入者番号（末尾４桁）が端末の内線番号に設定されていることをいう。例えば図９に示すようにＩＳＤＮ網Ａの加入者番号として、「７１４−１２３４」、「７１４−１２３５」、「７１４−１２３６」、ＩＳＤＮ網Ｂの加入者番号として、「７１４−５６７８」が登録されているシステムの場合、端末４ａ〜４ｃの内線番号は「１２３４」、「１２３５」、「１２３６」であるので、端末４ａ〜４ｃはダイレクトダイヤルインが設定されている。図３は端末ポート毎のダイヤル内線テーブルであり、端末ポート番号００４の端末の内線番号が「１２３４」であるので、この端末にはダイレクトダイヤルインが設定されいることが判る。
【００２２】
ステップＳ１で「有」のときはステップＳ２のように、発信内線端末ポートにダイレクトダイヤルイン番号のインデックスが設定されているか確認する。図４は端末ポート番号に設定されたインデックス番号を示すテーブルである。この図４の例では、ダイレクトダイヤルイン番号が設定された端末ポート００４にはインデックス番号０４が設定されている。このステップＳ２で「無」のときは、ステップＳ４へ移行する。
【００２３】
ステップＳ２で「有」のときはステップＳ３のように、インデックス番号の種別に応じて発信者番号情報を作成する。図５は各インデックス番号に対応する種別及びダイヤルイン番号のプレヒックスを示すプレヒックステーブルである。種別１の場合はダイレクトダイヤルインタイプで、ダイヤルイン番号に付加されるプレヒックスとする。種別２の場合は非ダイレクトダイヤルインタイプで、ここで設定された番号のみを発信者情報とする。
【００２４】
例えば、インデックス番号０２の端末ポートの種別は「２」であるから、発信者番号情報は「７５７２３８６」となる。又、インデックス番号０４の端末ポートの種別は「１」であるから、発信者番号情報はプレヒックス「７１４」に、図３のダイヤルイン内線番号テーブルにより示される該端末の内線番号「１２３４」を付加した番号「７１４１２３４」となる。
【００２５】
ステップＳ４では捕捉した局線番号が確認される。つまり制御回路１２の制御の下に、発信端末がダイヤルした番号に対応して、制御回路１２により該端末が接続されるＩＳＤＮ網の局線（外線）１６の局線番号が確認される。
【００２６】
ステップＳ５では局線番号単位に設定されるＬＤＮインデックス番号の設定有無を確認する。図６は局線番号に対応するＬＤＮインデックス番号を示すテーブルである。例えば、局線番号「０１」及び「０２」のＬＤＮインデックス番号は「０１」に設定されている。
【００２７】
ステップＳ５で「有」のとき、ステップＳ６では先ず、ＬＤＮインデックス番号からＬＤＮが求められる。図７は各ＬＤＮインデックス番号に対応してＬＤＮが記述された加入者番号テーブルを示す。ステップ６では更に、ステップＳ３にて作成された発信者番号と、加入者番号テーブルを参照して求められたＬＤＮとが比較される。上記発信者番号とＬＤＮとが一致した場合（ステップＳ７で「Ｙ」の場合）はステップＳ９に移行し、一致しなかった場合（「Ｎ」の場合）はステップＳ８に移行する。
【００２８】
ステップＳ８では、ステップＳ６で求めた局線毎のＬＤＮを発信者番号情報として作成する。このときのＬＤＮは局線毎の代表番号である。ステップＳ９では、ステップＳ３で作成された発信者番号情報、又はステップＳ８で作成された発信者番号情報が呼設定メッセージ（ＳＥＴＵＰ）に設定される。
【００２９】
【発明の効果】
本発明により、複数の網（例えばＩＳＤＮ網）と契約している場合でも、回線毎に契約された加入者番号を発信者番号として網へ通知するため、スクリーニングによる呼の切断を防ぐことが出きる。また、必ず正しい加入者番号を発信者情報として送出するため、着信元からのコールバック(call back)も可能である。
【図面の簡単な説明】
【図１】ＩＳＤＮ回線インタフェースを収容し本発明が適用される交換システムの構成を示すブロック図。
【図２】本発明の発信者番号情報の作成動作を示すフローチャート。
【図３】端末ポート単位のダイレクトダイヤルインの内線番号テーブル。
【図４】端末ポート単位のインデックス番号テーブル。
【図５】インデックス番号単位のダイレクトダイヤルプレヒックスデータテーブル。
【図６】局線番号単位のＬＤＮインデックス番号テーブル。
【図７】ＬＤＮインデックス番号単位のＬＤＮテーブル。
【図８】従来の発信者情報作成フロー
【図９】複数のＩＳＤＮ網と接続する交換システムの構成例。
【図１０】交換システムから発信時の網のスクリーニングによる呼の切断を示す図。
【符号の説明】
１…交換システム              ２…アナログ電話機
３…デジタル電話機            ４…ＩＳＤＮ端末
５…アナログ電話機インターフェース回路
６…デジタル電話機インターフェース回路
７…ＩＳＤＮ端末インターフェース回路
８…アナログインターフェース回路
９…ＩＳＤＮインターフェース回路
１０…専用線インターフェース回路
１１…通話路スイッチ          １２…制御回路
１３…信号処理回路            １４…記憶装置
１５…制御信号バス            １６…局線
１７…保守運用装置
【図１】
0003742251.tif 000002
【図２】
0003742251.tif 000003
【図３】
0003742251.tif 000004
【図４】
0003742251.tif 000005
【図５】
0003742251.tif 000006
【図６】
0003742251.tif 000007
【図７】
0003742251.tif 000008
【図８】
0003742251.tif 000009
【図９】
0003742251.tif 000010
【図１０】
0003742251.tif 000011